(57)【要約】【課題】  搬送中の写真フィルムがガイド体に当たって傷付くのを防止し、写真フィルムの形成された駒画像を高品質で読み取ることができるフィルムキャリアを提供することを課題とする。【解決手段】  駒画像が形成された帯状の写真フィルムを長手方向に搬送する搬送系と、搬送系で搬送される写真フィルムの両面に対向するように配置され、写真フィルムをガイドする一対のガイド体とを備え、搬送系で搬送中の写真フィルムの駒画像を撮像素子で読み取るべく、一対のガイド体に写真フィルムの幅方向に延びる透過用スリットが形成されたフィルムキャリアにおいて、写真フィルムが一対のガイド体でガイドされる前に、写真フィルムのカール癖を矯正するカール矯正装置を備え、カール矯正装置は、写真フィルムを所定の温度範囲に加熱するヒータと、加熱状態の写真フィルムを両面から圧接する一対の圧接体とを備えた。【選択図】図１
2005084338.tif 000002
【特許請求の範囲】
【請求項１】
駒画像が形成された帯状の写真フィルムを長手方向に搬送する搬送系と、該搬送系で搬送される写真フィルムの両面に対向するように配置され、該写真フィルムをガイドする一対のガイド体とを備え、前記搬送系で搬送中の写真フィルムの前記駒画像を撮像素子で読み取るべく、前記一対のガイド体に写真フィルムの幅方向に延びる透過用スリットが形成されたフィルムキャリアにおいて、前記写真フィルムが一対のガイド体でガイドされる前に、該写真フィルムのカール癖を矯正するカール矯正装置を備え、該カール矯正装置は、写真フィルムを所定の温度範囲に加熱するヒータと、加熱状態の写真フィルムを両面から圧接する一対の圧接体とを備えたことを特徴とするフィルムキャリア。
【発明の詳細な説明】
【技術分野】
【０００１】
本発明は、帯状の写真フィルムに形成された駒画像を撮像素子で連続的に読み取るべく、該写真フィルムの駒画像を撮像素子で読み取り可能な状態で該写真フィルムを搬送するフィルムキャリアに関する。
【背景技術】
【０００２】
近年、写真処理分野においてもデジタル化が進み、撮影済みの写真フィルムに形成された駒画像を撮像素子で画像データとして一旦読み取り、該画像データを基にプリントするようにされている。
【０００３】
かかる処理において、写真フィルムに形成された複数の駒画像を連続的に読み取るべく画像読取装置が用いられる。かかる画像読取装置は、光源及び撮像素子を備えた読取装置本体と、前記光源と撮像素子との間に介装され、前記撮像素子で写真フィルムの駒画像を読み取り可能な状態で、該写真フィルムを長手方向に搬送するフィルムキャリアとで構成されている。
【０００４】
かかるフィルムキャリアは、写真フィルムの種類に応じて複数種類用意されており、前記読取装置本体に着脱可能に構成されている。各フィルムキャリアは、長尺な写真フィルムを長手方向に搬送する搬送系と、該搬送系で搬送される写真フィルムの両面に対向するように配置され、搬送中の写真フィルムをガイドする一対のガイド体とを備えている。
【０００５】
前記搬送系は、複数の搬送ローラ対が所定間隔を有して配設されることで構成されており、該搬送ローラ対が写真フィルムの幅方向の両端部を圧着して回転駆動することで、写真フィルムを長手方向に搬送できるように構成されている。
【０００６】
前記一対のガイド体は、搬送系で搬送される写真フィルムの蛇行や、面交差方向へのブレを規制するように構成されており、写真フィルムの搬送の安定を実現できるようになっている。また、該一対のガイド体には、写真フィルムの搬送方向と交差（直交）する方向に延びる透過用スリットが形成されている。
【０００７】
これにより、上記構成の画像読取装置は、フィルムキャリア（搬送系）で写真フィルムを搬送しつつ、写真フィルムの駒画像を透過用スリットを介して読取装置本体の撮像素子で順次読み取れるようになっている。（例えば、特許文献１参照）。
【特許文献１】特開２０００−３１５１８４号公報
【発明の開示】
【発明が解決しようとする課題】
【０００８】
ところで、撮影済みの写真フィルムは、カートリッジ内に巻き取られていた状態で保管されている場合があり、カートリッジから引き出した際に写真フィルムに巻き癖（カール癖）が付いている場合がある。
【０００９】
そうすると、該カール癖の付いた写真フィルムをフィルムキャリアの搬送系で搬送させた際に、カール（写真フィルムの湾曲）によって搬送ローラ対間で写真フィルムの一部がガイド体に強く接触したり、搬送ローラ対の圧着が不均一になったりして写真フィルムに傷が付いてしまう場合がある。その為、撮像素子に傷の付いた駒画像が画像データとして読み取られてしまい、当該画像データよってプリントされた写真の品質の低下を招くといった問題があった。
【００１０】
そこで、本発明は、斯かる実情に鑑み、搬送中の写真フィルムがガイド体に当たって傷付くのを防止し、写真フィルムに形成された駒画像を高品質で読み取ることができるフィルムキャリアを提供することを課題とする。
【課題を解決するための手段】
【００１１】
本発明にかかるフィルムキャリアは、駒画像が形成された帯状の写真フィルムを長手方向に搬送する搬送系と、該搬送系で搬送される写真フィルムの両面に対向するように配置され、該写真フィルムをガイドする一対のガイド体とを備え、前記搬送系で搬送中の写真フィルムの前記駒画像を撮像素子で読み取るべく、前記一対のガイド体に写真フィルムの幅方向に延びる透過用スリットが形成されたフィルムキャリアにおいて、前記写真フィルムが一対のガイド体でガイドされる前に、該写真フィルムのカール癖を矯正するカール矯正装置を備え、該カール矯正装置は、写真フィルムを所定の温度範囲に加熱するヒータと、加熱状態の写真フィルムを両面から圧接する一対の圧接体とを備えたことを特徴とする。なお、「写真フィルムを所定の温度範囲に加熱」とは、写真フィルムに直接ヒータの熱を作用させて加熱させることは勿論のこと、写真フィルムにヒータの熱を間接的に作用させて加熱することを含む概念であり、ヒータが写真フィルムを加熱させるための熱源であることを意味するものである。
【００１２】
上記フィルムキャリアによれば、以下のような作用が得られる。すなわち、写真フィルムの基材は、樹脂により構成されており、ヒータで加熱することで柔らかくなる。この状態で一対の圧接体を写真フィルムの両面に圧接させると、ヒータによる加熱作用と、圧接体による圧接作用により、写真フィルムに対してアイロンをかけたのと同様の作用が生じる。そうすると、写真フィルムのカール癖が矯正され、当該写真フィルムが真っ直ぐになる。これにより、カール癖が矯正された写真フィルムを搬送系で搬送した際に、該写真フィルムは、長手方向に真っ直ぐな状態で搬送されることになり、ガイド体に強く接触して写真フィルムに傷が付いて駒画像を傷めるのを防止することができ、透過用スリットを介して撮像素子で読み取った画像データを高品質なものにすることができる。
【発明の効果】
【００１３】
以上のように、本発明にかかるフィルムキャリアによれば、搬送中の写真フィルムがガイド体に当たって傷付くのを防止し、写真フィルムに形成された駒画像を高品質で読み取ることができる。
【発明を実施するための最良の形態】
【００１４】
以下、本発明にかかるフィルムキャリアの一実施形態について、添付図面を参酌しつつ説明する。
【００１５】
本実施形態にかかるフィルムキャリアは、写真フィルムに形成された駒画像を画像データとして読み取る画像読取装置の一部を構成するものであり、フィルムキャリアの説明に先立って、画像処理装置全体について概略説明する。
【００１６】
かかる画像処理装置は、図１に示す如く、光源Ｌ及び撮像素子Ｄを備えた読取装置本体１と、該読取装置本体１で写真フィルムＦの駒画像を読み取り可能な状態で、該写真フィルムＦを長手方向に搬送する前記フィルムキャリア２とで構成されている。
【００１７】
前記読取装置本体１は、前記フィルムキャリア２を介装できるように光源Ｌと撮像素子Ｄとが間隔を有して対向配置されており、フィルムキャリア２の後述する透過用スリット２７を介して光源Ｌからの光を撮像素子Ｄに到達させ得るようになっている。
【００１８】
次に、フィルムキャリア２について説明すると、該フィルムキャリア２は、搬送する写真フィルムＦの種類に対応させるように複数種類用意されており、駒画像を読み取る写真フィルムＦに対応するものを読取装置本体１に取り付けるようになっている。そのため、フィルムキャリア２は、読取装置本体１に対して着脱可能に構成されている。
【００１９】
前記フィルムキャリア２は、写真フィルムＦを長手方向で搬送する搬送系２０と、該搬送系２０によって搬送される写真フィルムＦの両面に対向するように配設され、該搬送中の写真フィルムＦをガイドする一対のガイド体２１ａ，２１ｂと、これらを内装する第一ケース２２と、写真フィルムＦがガイド体２１ａ，２１ｂによってガイドされる前に、該写真フィルムＦのカール癖を矯正するカール矯正装置３０とを備えている。
【００２０】
前記搬送系２０は、写真フィルムＦを圧着搬送する複数の搬送ローラ対２３，２３…で構成されており、各搬送ローラ対２３，２３…が所定間隔を有して配設されることで、写真フィルムＦを長手方向に搬送する搬送経路Ｒを形成している。
【００２１】
前記一対のガイド体２１ａ，２１ｂは、互いに対向するように配置されており、一端同士が枢着されて開閉可能に構成されている。
【００２２】
各ガイド体２１ａ，２１ｂの対向する面には、溝２４ａ，２４ｂが形成されており、該一対のガイド体２１ａ，２１ｂ同士を組み合わせる（閉じる）ことで、前記溝２４ａ，２４ｂが組み合わさって写真フィルムＦの通過する貫通したスリット状の挿通穴２５が形成されるようになっている。該挿通穴２５は、該挿通穴２５に挿通した写真フィルムＦの両面、及び両側端を、内周面（各ガイド体２１ａ，２１ｂ）で案内（ガイド）できるように形成されており、搬送中の写真フィルムＦの幅方向の蛇行（横ブレ）、面と交差する方向の縦ブレ等を所定範囲内に規制できるようになっている。なお、前記搬送系２０の搬送ローラ対２３，２３…の各搬送ローラ２３ａ，２３ｂは、前記溝２４ａ，２４ｂの所定箇所を掘り下げた凹部２６内に内装されており、ガイド体２１ａ，２１ｂを開くことで、搬送ローラ２３ａ，２３ｂ同士が離間し、写真フィルムＦの圧着を解除できるようになっている。
【００２３】
該一対のガイド体２１ａ，２１ｂには、搬送系２０で搬送中の写真フィルムＦの駒画像を、前記撮像素子Ｄで読み取ることができるように、写真フィルムＦの搬送方向と直交する方向に延びる透過用スリット２７が形成されている。各透過用スリット２７は、各ガイド体２１ａ，２１ｂを貫通しており、当該フィルムキャリア２を読取装置本体１に取り付けた状態で、前記光源Ｌ、及び撮像素子Ｄと対応した位置になるように形成されており、前記光源Ｌの光を一方のガイド体２１ａの透過用スリット２７を介して、搬送中の写真フィルムＦに照射し、それによって得られる像を他方のガイド体２１ｂの透過用スリット２７を介して、撮像素子Ｄで読み取る（撮像する）ようになっている。
【００２４】
前記第一ケース２２は、一面が開放状態にある箱状をなす一対の第一分割ケース２２ａ、２２ｂで構成されており、該一対の第一分割ケース２２ａ，２２ｂを上下に組み合わせることで、前記ガイド体２１ａ，２１ｂを収容する収容空間が形成されるようになっている。なお、本実施形態においては、一方の第一分割ケース２２ａに一方のガイド体２１ａが収容状態で連結され、他方の第一分割ケース２２ｂに他方のガイド体２１ｂが収容状態で連結されており、前記一対のガイド体２１ａ，２１ｂを開閉することで、当該第一ケース２２（一対の第一分割ケース２２ａ，２２ｂ）も開閉できるようになっている。
【００２５】
前記一対の第一分割ケース２２ａ，２２ｂには、収容したガイド体２１ａ，２１ｂの透過用スリット２７に対応してスリットが形成されている。また、該一対の第一分割ケース２２ａ，２２ｂの各組み合わせ面には、前記ガイド体２１ａ，２１ｂの溝２４ａ，２４ｂに対応した切欠部２８ａ，２８ｂが形成されており、該一対の第一分割ケース２２ａ，２２ｂが組み合わさった状態で、切欠部２８ａ，２８ｂ同士が組み合わさって前記挿通穴２５に写真フィルムＦを挿入するための開口２９が形成されるようになっている。
【００２６】
前記カール矯正装置３０は、前記第一ケース２２に着脱可能に構成されており、後述する遊挿穴３５が前記開口２９を介して挿通穴２５に連通した状態で、第一ケース２２に連結できるように構成されている。すなわち、該カール矯正装置３０は、写真フィルムＦを遊挿穴３５、開口２９を介して挿通穴２５に送り込み可能な状態となるように、前記搬送系２０、及びガイド体２１ａ，２１ｂの上流側で第一ケース２２に連結可能に構成されている。該カール矯正装置３０は、第二ケース３１と、写真フィルムＦを所定の温度範囲に加熱するヒータ３２ａ，３２ｂと、前加熱状態の写真フィルムＦを両面に圧接する一対の圧接体３３ａ，３３ｂとで構成されており、前記ヒータ３２ａ，３２ｂ、及び一対の圧接体３３ａ，３３ｂが第二ケース３１に内装された態様になっている。
【００２７】
前記第二ケース３１は、一対の第二分割ケース３１ａ，３１ｂを上下に組み合わせることで形成されている。前記一対の第二分割ケース３１ａ，３１ｂは、組み合わせ面に写真フィルムＦの幅に対応した溝３４ａ，３４ｂが形成されており、これらを組み合わせることで、溝３４ａ，３４ｂ同士が組み合わさって写真フィルムＦを遊挿させる貫通したスリット状の遊挿穴３５が形成されるようになっている。また、各第二分割ケース３１ａ，３１ｂは、前記溝３４ａ，３４ｂの一部を深く掘り下げて形成された凹部３６ａ，３６ｂを備えている。
【００２８】
前記ヒータ３２ａ，３２ｂには、チップ型の抵抗が採用されており、各第二分割ケース３１ａ，３１ｂの凹部３６ａ，３６ｂの奥部に収容されている。
【００２９】
前記各圧接体３３ａ，３３ｂは、軸心周りで回転駆動するローラで構成されており、各第二分割ケース３１ａ，３１ｂの凹部３６ａ，３６ｂ内に収容状態で軸支され、一対の第二分割ケース３１ａ，３１ｂを組み合わせた状態で、互いに接触できる、或いは、微小な隙間を形成するように配置されている。これにより、遊挿穴３５に挿通された写真フィルムＦの両面を圧着し、下流側の搬送系２０に向けて搬送できるようになっている。各圧接体３３ａ，３３ｂは、熱伝導率が高く、且つ摩耗しにくい材料（例えば、ステンレス鋼）で構成されている。また、該圧接体３３ａ，３３ｂは、外周面にテフロンコーティングが施されており、圧着搬送した写真フィルムＦの各面を傷つけることのないように配慮されている。
【００３０】
該カール矯正装置３０は、上述の如く、各第二分割ケース３１ａ，３１ｂの凹部３６ａ，３６ｂの奥部にヒータ３２ａ，３２ｂを収容することで、該ヒータ３２ａ，３２ｂからの発熱（放射熱）が圧接体３３ａ，３３ｂに伝わり、該圧接体３３ａ，３３ｂを加熱できるようになっている。これにより、加熱状態にある圧接体３３ａ，３３ｂで写真フィルムＦを圧着搬送するように構成されている。すなわち、ヒータ３２ａ，３２ｂの熱を圧接体３３ａ，３３ｂを介して間接的に伝達して写真フィルムＦを加熱するとともに、該圧接体３３ａ，３３ｂで写真フィルムＦを圧着搬送する（写真フィルムＦに圧接体３３ａ，３３ｂを圧接させる）ように構成されている。
【００３１】
なお、写真フィルムＦが１３５フィルムである場合には、該写真フィルムＦの基材の材質が、ポリエステルであるので、該写真フィルムＦを３０〜３５℃の温度範囲で加熱できるようにヒータ３２ａ，３２ｂの温度を設定し、写真フィルムＦが、２４０フィルムである場合には、基材がポリエチレンテレフタレートであるので、写真フィルムＦを３０〜３５℃に加熱できるように、ヒータ３２ａ，３２ｂの温度設定を行うことが好ましい。また、写真フィルムＦを上記温度範囲以上に加熱してしまうと、変色等（いわゆる、フィルム焼け）が生じるので、上記の温度範囲以上にならないように、温度制御することは勿論のことであり、この温度制御の手段としては、サーモスタットによる制御、送風装置での送風による制御等を採用することができる。
【００３２】
本実施形態にかかるフィルムキャリア２は、以上の構成からなり、写真フィルムＦから駒画像を読み取る場合、まずヒータ３２ａ，３２ｂによって圧接体３３ａ，３３ｂを加熱しておく。そして、カール癖の付いた写真フィルムＦを前記遊挿穴３５に挿入すると、該写真フィルムＦは、加熱状態にある一対の圧接体３３ａ，３３ｂ（ローラ対）によって先端側から下流に向けて圧着搬送される。
【００３３】
そうすると、写真フィルムＦにアイロンを掛けたのと同様の作用が生じながら該写真フィルムが下流側に搬送される。すなわち、写真フィルムＦは、ローラ３３ａ，３３ｂの熱が伝達されて軟化するとともに、一対のローラ３３ａ，３３ｂの圧着によって写真フィルムＦが引き延ばされるようになり、カール癖が矯正された状態となって下流側に搬送される。そして、該写真フィルムＦは、開口２９を介して第一ケース２２内に入り込み、一対のガイド体２１ａ，２１ｂにガイドされつつ前記搬送系２０によって下流側に搬送されることになる。この状態で、写真フィルムＦのカール癖が既に矯正されているので、該写真フィルムＦはガイド体２１ａ，２１ｂに強く接触することなく、下流側に円滑に搬送されることになる。
【００３４】
そして、該写真フィルムＦが透過用スリット２７に到達すると、光源Ｌからの光を介して得られた像が、透過用スリット２７を介して撮像素子Ｄによって読み取られ、プリント用の画像データとして記憶される。
【００３５】
以上のように、本実施形態にかかるフィルムキャリア２は、搬送される写真フィルムＦが、ガイド体２１ａ，２１ｂによってガイドされる前に、該写真フィルムＦのカール癖を矯正するカール矯正装置３０を備えているので、搬送系２０で搬送される写真フィルムＦがガイド体２１ａ，２１ｂでガイドされ得る状態となった際には、既にカール癖が矯正されており、写真フィルムＦがガイド体２１ａ，２１ｂに強く接触するなどといった事態にならず、写真フィルムＦを傷つけることを防止することができる。これによって、高品質の画像を読み取ることができる。
【００３６】
また、前記カール矯正装置３０は、写真フィルムＦを加熱するヒータ３２ａ，３２ｂと、加熱状態にある写真フィルムＦを両面から圧接する一対の圧接体３３ａ，３３ｂとを備えているので、写真フィルムＦにアイロンをかけたのと同様の作用を生じさせることができ、円滑、且つ確実にカールの矯正を行うことができる。
【００３７】
さらに、前記一対の圧接体３３ａ，３３ｂのそれぞれをローラで構成し、該ローラ３３ａ，３３ｂで圧着搬送させるようにしたので、この圧接体３３ａ，３３ｂの圧接によって写真フィルムＦに傷を付けてしまうことも確実に防止することができる。
【００３８】
さらに、前記第二ケース３１（第二分割ケース３１ａ，３１ｂ）に形成された凹部３６ａ，３６ｂの奥部にヒータ３２ａ，３２ｂを収容し、該ヒータ３２ａ，３２ｂの輻射熱によってローラ（圧接体３３ａ，３３ｂ）を加熱して、該ローラ３３ａ，３３ｂで写真フィルムＦを加熱するようにしたので、ヒータ３２ａ，３２ｂの輻射熱が直接写真フィルムＦに作用することがなく、何らかの原因でヒータ３２ａ，３２ｂが過剰に発熱しても、写真フィルムＦに直接作用せず、加熱による写真フィルムＦの傷みを極限に抑えることができる。
【００３９】
また、前記カール矯正装置３０を第一ケース２２に対して着脱可能に構成したので、カール癖を矯正する必要のない写真フィルムＦ（例えば、所定長さに切断されたピースフィルム）の駒画像を読み取る場合には、カール矯正装置３０を取り外して当該写真フィルムＦを直接開口２９から挿入することができる。これにより、写真フィルムＦの状態に応じた処理が可能になる。
【００４０】
尚、本発明のフィルムキャリアは、上記実施形態に限定されるものではなく、本発明の要旨を逸脱しない範囲内において種々変更を加え得ることは勿論である。
【００４１】
すなわち、上記実施形態において、カール矯正装置３０を第一ケース２２に着脱自在に構成したが、これに限定されるものではなく、例えば、カール矯正装置３０をガイド体２１ａ，２１ｂとともに第一ケース２２内に収容し、ガイド体２１ａ，２１ｂ及びカール矯正装置３０を一体的に構成するようにしても勿論よい。この場合においても、カール矯正装置３０は、写真フィルムＦがガイド体２１ａ，２１ｂでガイドされる前にカール癖を矯正できるように、ガイド体２１ａ，２１ｂの上流側に配置することは勿論のことである。
【００４２】
上記実施形態において、ヒータ３２ａ，３２ｂの輻射熱をローラ３３ａ，３３ｂに伝達し、該ヒータ３２ａ，３２ｂの熱を間接的に写真フィルムＦに伝達するように構成したが、これに限定されるものではなく、例えば、ローラ（圧接体３３ａ，３３ｂ）で写真フィルムＦを圧着する前に予めヒータ３２ａ，３２ｂで写真フィルムＦを所定温度範囲にまで直接加熱するようにしても勿論よい。
【００４３】
上記実施形態において、加熱状態にある写真フィルムＦの両面から圧接させる圧接体３３ａ，３３ｂとしてローラを採用したが、これに限定されるものではなく、写真フィルムＦを両面から挟めるようにした一対のプレートで構成してもよい。この場合、写真フィルムＦの面に接触する面にテフロンコーティングを施し、一対のプレートを接離させるようにして間欠的に写真フィルムＦの長手方向の異なる箇所に圧接させ、写真フィルムＦの各面を傷めないようにすることが好ましい。
【００４４】
また、上記実施形態において、ヒータ３２ａ，３２ｂにチップ型の抵抗を採用したが、これに限定されるものではなく、例えば、熱線コイルを樹脂シートで被覆したシートヒータや、熱源として利用できるハロゲンランプ等の種々タイプのものを採用することができる。
【００４５】
上記実施形態において、ローラ３３ａ，３３ｂの外周面にテフロンコーティングを施したが、これに限定されるものではなく、ローラの表面が写真フィルムＦを傷めない状態であればよい。また、前記ローラ３３ａ、３３ｂをステンレス鋼で構成したが、これに限定されるものではなく、ローラ３３ａ，３３ｂ（圧接体）の材質は、ヒータ３２ａ，３２ｂによる加熱に耐え得ることができ、且つ写真フィルムＦの搬送に悪影響を及ぼすことのないものであればよい。
【００４６】
上記実施形態において、フィルムキャリア２を読取装置本体１に対して着脱自在に構成したが、これに限定されるものではなく、例えば、フィルムキャリア２と読取装置本体１とを一体的に構成して画像読取装置としてもよい。ただし、上述の如く、写真フィルムＦの種類に対応させるには、フィルムキャリア２を着脱可能に構成することが好ましい。
【図面の簡単な説明】
【００４７】
【図１】本発明の一実施形態にかかるフィルムキャリア、及び該フィルムキャリアを取り付ける読取装置本体の一部を含む概略構成図を示す。
【符号の説明】
【００４８】
１…読取装置本体、２…フィルムキャリア、２０…搬送系、２１ａ，２１ｂ…ガイド体、２２…第一ケース、２２ａ，２２ｂ…第一分割ケース、２３…搬送ローラ対、２３ａ，２３ｂ…搬送ローラ、２４ａ，２４ｂ…溝、２５…挿通穴、２６…凹部、２７…透過用スリット、２８ａ，２８ｂ…切欠部、２９…開口、３０…カール矯正装置、３１…第二ケース、３１ａ，３１ｂ…第二分割ケース、３２ａ，３２ｂ…ヒータ、３３ａ，３３ｂ…ローラ（圧接体）、３４ａ，３４ｂ…溝、３５…遊挿穴、３６ａ，３６ｂ…凹部、Ｄ…撮像素子、Ｆ…写真フィルム、Ｌ…光源、Ｒ…搬送経路
【図１】
2005084338.tif 000003